(57)【要約】【課題】掛け具への着脱時の手間を省いた、掛け置き用手拭きタオルを提供する。【解決手段】タオル１の長手方向の中央部に、５〜１０ｃｍ程度の幅のストレッチ部３を設ける。このストレッチ部３では、緯糸の全部又は一部にストレッチ性を有する糸１１を使用し、タオルを幅方向に収縮させる。ストレッチ性を有する糸１１には、摩擦力増強加工を施しておく。このタオル１は２つ折りにして掛け具２に掛け、ストレッチ部３で掛け具２との間の滑りを止めて、安定よく掛け置き状態を保持する。【選択図】  図１
2004321718.tif 000002
【特許請求の範囲】
【請求項１】
タオルの長手方向の中央部をストレッチ部にして、このストレッチ部では、緯糸の全部又は一部にストレッチ性を有する糸を使用して、タオルを幅方向に収縮させた、掛け置き用手拭きタオル。
【請求項２】
ストレッチ性を有する糸に、摩擦力増強加工を施した請求項１記載の掛け置き用手拭きタオル。
【請求項３】
多重織りにして、表面層には柄を構成する緯糸を使用し、裏面層にはストレッチ性を有する緯糸を使用した請求項１記載の掛け置き用手拭きタオル。
【発明の詳細な説明】
【０００１】
【発明の属する技術分野】
この発明は、洗面所などに吊り下げ状態で掛け置く、手拭き専用のタオルの改良に関する。
【０００２】
【従来の技術】
従来の掛け置き用のタオルには、タオル掛け具からタオルが滑り落ちないようにする為の留め具が取付けられている。例えば、タオルの中央部の両側縁に、ボタン付きの舌片と、ボタン穴とからなる留め具を設けたもの（特許文献１参照）や、タオルの中央部に２本の締め紐を取付けたもの（特許文献２参照）などが提案されている。
【０００３】
【特許文献１】
実用新案登録第３０３４２６２号公報（第１−２頁、図１−１１）
【特許文献２】
実用新案登録第３０６０５５７号公報（第１−２頁、図１−２）
【０００４】
【発明が解決しようとする課題】
ところが、前記従来のように留め具を取付ける形式では、タオルを掛け具に着脱する際に手間がかかって、ボタンを嵌めたり、紐を結んだりする必要がある。
【０００５】
本発明は、このような点に鑑み、掛け具への着脱が簡単かつ迅速にできる掛け置き用手拭きタオルを提供するにある。更に、本発明は、掛け具とタオルとの固定保持性に富み、手拭き作業などの通常の使用態様によって、簡単にタオルが掛け具から脱落することのない掛け置き用手拭きタオルを提供するにある。
【０００６】
【課題を解決するための手段】
本発明の掛け置き用手拭きタオルの技術的手段は、タオルの長手方向の中央部をストレッチ部にして、このストレッチ部では、緯糸の全部又は一部にストレッチ性を有する糸を使用して、タオルを幅方向に収縮させたことにある。
【０００７】
また、ストレッチ性を有する糸に、摩擦力増強加工を施すのが好ましい。更に、多重織りにして、表面層には柄を構成する緯糸を使用し、裏面層にはストレッチ性を有する緯糸を使用するようにしてもよい。
【０００８】
【発明の実施の形態】
本発明のタオルの実施の形態を、図面の実施例に基づいて説明する。図１は使用状態で、１はタオル、２は掛け具である。タオル１の長手方向の中央部には、ストレッチ部３が形成されていて、タオル１はこのストレッチ部１１で２つ折りにして、掛け具２に掛け置くようにする。ストレッチ部３の存在により、タオル１と掛け具２との間の摩擦抵抗は高くて、通常の使用形態ではタオル１がズレたりすることがなく、タオルは安定よく掛け具に固定保持される。
【０００９】
図２には、タオル１の展開状態の裏面図が示されている。タオル１の長手方向の中央部には、幅が約５〜１０ｃｍ程度のストレッチ部３が形成されている。このストレッチ部３は、緯糸にストレッチ性を有する糸１１を用いることによって構成されている。ストレッチ性を有する糸としては、それ自身が伸縮性を有する糸、例えばポリウレタン糸などの他、強撚などによって伸縮性を付与させた加工糸、例えば綿糸などの天然繊維糸や、ポリエステル糸などの合成繊維糸などが使用可能である。このように緯糸にストレッチ性を有する糸１１を織り込んだ為に、この部分ではストレッチがかかって、タオルは幅方向に収縮するようになる。
【００１０】
ストレッチ性を有する糸１１には、摩擦力増強加工を施しておくのが好ましい。加工法としては、糸の表面に、摩擦力を高める為の物質（天然物質でも合成物質でもよい）をコーティングするのが適当である。これにより、掛け具２との間の滑りが一層抑制され、タオルの掛け置き状態での安定性が向上する。
【００１１】
また、織り方を、２重や３重の多重織りとし、表面層では柄を付ける織り方にして緯糸には柄を構成する糸１２を使用し、他方、裏面層にストレッチを付けるようにするのが好ましい。図３と図４に織り組織の実施例が示されている。図３のものでは、裏面の緯糸は、全てストレッチ性を有する糸１１とした例であり、図４のものは、ストレッチ性を有する糸１１と、普通の糸１３とを交互に配した例である。なお、図中、Ｇ１は表面層の柄を構成する経糸であり、Ｇ２及びＧ３は裏面層を構成する経糸である。これによって、タオルのストレッチ部３の表面には、柄があるので、タオル１を掛け具２に掛けた状態で、ストレッチの部分が別の生地で構成されているように見えるので、意匠的な効果が高く、その上、ストレッチ部の裏面では、摩擦力を増強させたストレッチ糸が緯糸に織り込まれているので、掛け具との間の滑り抵抗が大きくて、掛け置き状態での保持力が高く、簡単に掛け具から脱落することはない。
【００１２】
本発明は、前記の実施例に限定されるものではなく、特許請求の範囲の記載の範囲内で自由に変形実施可能である。特に、ストレッチ性を有する糸の種類、織り方の種類、糸に対する摩擦力増強加工の方式などは自由である。
【００１３】
【発明の効果】
本発明のタオルは、長手方向の中央部にストレッチ部が形成されていて、このストレッチ部では緯糸に、ストレッチ性を有する糸が使用されているので、ここではタオルが幅方向に縮むようになり、ストレッチ性を有する糸の摩擦力と相俟って、掛け具との間の滑りが抑制される。この為、タオルを２つ折りにして掛け具に掛け置くだけで、位置保持性があり、通常の使用状態では脱落することはなく、掛け置き状態が安定よく保持される。従って、従来の留め付け方式のように着脱時に留める手間が省けるので、使用上非常に便利である。更に、本発明のタオルは、製造時に織り込む緯糸に、ストレッチ性を有する糸を使用するだけだから、製造が簡単で、廉価に実施可能である。
【００１４】
請求項２のものでは、ストレッチ性を有する糸に、摩擦力増強加工が施されているので、掛け具との間の滑り止め力に優れ、掛け置き状態を一層安定よく保持可能である。
【００１５】
請求項３のものでは、タオルを多重織りにして、表面層では柄を構成し、裏面層でストレッチを付与するので、掛け置き状態での外観体裁に優れ、かつ、滑り止め力も強くて、安定よく保持が可能で、実用上、非常に好ましいものである。
【図面の簡単な説明】
【図１】使用状態を示す正面図。
【図２】展開状態の裏面図。
【図３】織り方の組織図。
【図４】織り方の他の実施例の組織図。
【符号の説明】
１        タオル
２        掛け具
３        ストレッチ部
１１      ストレッチ性を有する緯糸
１２      柄を構成する緯糸
１３      普通の緯糸
【図１】
2004321718.tif 000003
【図２】
2004321718.tif 000004
【図３】
2004321718.tif 000005
【図４】
2004321718.tif 000006